(57)【要約】      （修正有）【課題】沈殿が生じないジュース粉末入りバッグおよびスープ粉末入りバッグを提供する。【解決手段】ジュース粉末入りバッグ１は、液体中に溶解させてジュースとして飲料可能なジュース粉末３と、ジュース粉末３を内部に収容した透水性バッグ２とを備えている。【選択図】図２
0003217267.tif 000002
【実用新案登録請求の範囲】
【請求項１】
液体中に溶解させてジュースとして飲料可能なジュース粉末と、
前記ジュース粉末を内部に収容した透水性バッグとを備えた、ジュース粉末入りバッグ。
【請求項２】
前記透水性バッグの外形は、自然造形物、人工造形物および標章のうちの少なくともいずれか一つを表現した形状である、請求項１に記載のジュース粉末入りバッグ。
【請求項３】
前記透水性バッグの外形は、前記ジュース粉末の味に対応する果物の形状である、請求項２に記載のジュース粉末入りバッグ。
【請求項４】
前記透水性バッグに一端部が連結された吊り糸と、前記吊り糸の他端部に連結されたタグとをさらに備える、請求項１〜３のいずれかに記載のジュース粉末入りバッグ。
【請求項５】
液体中に溶解させてスープとして飲料可能なスープ粉末と、
前記スープ粉末を内部に収容した透水性バッグとを備えた、スープ粉末入りバッグ。
【考案の詳細な説明】
【技術分野】
【０００１】
この考案は、液体に浸すことによってジュースまたはスープを作り出すために用いられるジュース粉末入りバッグおよびスープ粉末入りバッグに関するものである。
【背景技術】
【０００２】
従来より、液体に溶かすことによってジュースを作り出すことができるジュース粉末が知られている。
【０００３】
液体に溶かしやすくしたジュース粉末として、たとえば、特開昭６３−１５９３１１号公報（特許文献１）がある。特許文献１には、エチルアルコール粉末を配合することで、容易に水に溶解することが可能な粉粒状口腔用組成物（ジュース粉末）が開示されている。
【先行技術文献】
【特許文献】
【０００４】
【特許文献１】特開昭６３−１５９３１１号公報
【考案の概要】
【考案が解決しようとする課題】
【０００５】
特許文献１に開示されたジュース粉末は、ジュース粉末の組成を工夫することで、液体に完全に溶かすことができる。本願考案者は、従来のジュース粉末およびスープ粉末の組成を変えることなく、液体中にジュース粉末の沈殿等が残らないようにする方法を鋭意検討の結果、見出した。
【０００６】
本考案は、上記の課題を解決するためになされたものであって、その目的は、液体中に沈殿が生じないジュース粉末入りバッグおよびスープ粉末入りバッグを提供することである。
【課題を解決するための手段】
【０００７】
この目的のため、この考案の一態様に係るジュース粉末入りバッグは、液体中に溶解させてジュースとして飲料可能なジュース粉末と、ジュース粉末を内部に収容した透水性バッグとを備えている。
【０００８】
上記構成の本考案によれば、ジュース粉末の沈殿が生じないため、不快な思いをせずに飲むことができる。
【０００９】
なお、ジュース粉末は、液体に溶けるように組成されたものであるため、液体にすべて溶けることが当然であると考えられている。しかし、ジュース粉末を液体に完全に溶かすには、スプーン等を用いて撹拌する必要があるが、早い速度で回転させなければならず、撹拌操作が面倒であった。また、ジュース粉末を液体に完全に溶かすには、カップなどの容器に液体を入れた後に、ジュース粉末を入れる必要があるなど、手順を考慮する必要があった。このような撹拌操作や手順を怠った場合、液体中にジュース粉末の沈殿物が生じる場合があることを、考案者は、鋭意研究の結果見出した。したがって、あらかじめ液体に溶けるように組成されたジュース粉末を透水性バッグに収容することは、当業者であっても容易に想到することができない。
【００１０】
好ましくは、透水性バッグの外形は、自然造形物、人工造形物および標章のうちの少なくともいずれか一つを表現した形状である。
【００１１】
好ましくは、透水性バッグの外形は、ジュース粉末の味に対応する果物の形状である。
【００１２】
好ましくは、透水性バッグに一端部が連結された吊り糸と、吊り糸の他端部に連結されたタグとをさらに備える。
【００１３】
この考案の一態様に係るスープ粉末入りバッグは、液体中に溶解させてスープとして飲料可能なスープ粉末と、スープ粉末を内部に収容した透水性バッグとを備えている。
【考案の効果】
【００１４】
本考案によれば、液体中に沈殿が生じないジュース粉末入りバッグおよびスープ粉末入りバッグを提供することができる。
【図面の簡単な説明】
【００１５】
【図１】本考案の実施の形態に係るジュース粉末入りバッグの平面図である。
【図２】図１のＩＩ−ＩＩ線に沿った端面図である。
【図３】ジュース粉末入りバッグを液体に浸して、飲料を作り出している状態を示す斜視図である。
【図４】本考案の実施の形態に係るジュース粉末入りバッグの変形例を示す平面図である。
【考案を実施するための形態】
【００１６】
本考案の実施の形態について図面を参照しながら詳細に説明する。なお、図中同一また
は相当部分には同一符号を付してその説明は繰返さない。
【００１７】
図１，図２を参照して、本考案の実施の形態のジュース粉末入りバッグ１について説明する。ジュース粉末入りバッグ１は、お湯や水などの液体に浸すことによって、ジュースを作り出すものである。
【００１８】
ジュース粉末入りバッグ１は、液体中に溶解させてジュースとして飲料可能なジュース粉末３と、ジュース粉末３を内部に収容した透水性バッグ２とを備えている。透水性バッグ２には、吊り糸４と、吊り糸４の他端部に連結されたタグ５とが取り付けられている。
【００１９】
透水性バッグ２は、表部２０と、表部２０に重ね合わされる裏部２１とを含む。表部２０と裏部２１との間には、ジュース粉末３を収納する収容部が形成される。表部２０および裏部２１の全周を取り囲む外周縁部２２は、たとえば接着剤、超音波、熱融着などの接着手段で固定されている。
【００２０】
透水性バッグ２は、透水性を有していればよく、たとえば、不織布、編物、織物などである。不織布とは、ランダムに配交した多数の繊維をシート状に結合したものをいう。不織布は、化学繊維により形成されており、ポリエチレン繊維により形成される合成繊維であることが望ましく、ポリエチレン繊維を含む合成繊維から形成されていてもよい。また、織物として、たとえばナイロンシャーなどを用いてもよい。
【００２１】
透水性バッグ２は、自然造形物、人工造形物および標章のうちの少なくともいずれか一つを表現した形状である。ここで、自然造形物とは、たとえば、動植物、風景、人物などを意味する。人工造形物とは、たとえば、乗り物、建物、家具、文房具などを意味する。標章とは、たとえば、文字（漢字、数字、アルファベットなど）、図形、記号、またはそれらの組み合わせなどを意味する。本実施の形態における自然造形物、人工造形物および標章は、従来の矩形形状のティーバッグと比較して、外観上面白み、可愛らしさなどを有し、意匠性を有する形状をいう。図１に示すように、本実施の形態に係る透水性バッグ２は、ハート形としている。このハート形の外形は、シート状の不織布などをプレス機でハート形に打ち抜くことで形成される。
【００２２】
吊り糸４は、透水性バッグ２の上端に連結されている。具体的には、吊り糸４の一端は、接着剤やステープルなどで透水性バッグ２の周縁部に連結され、吊り糸４の他端は、タグ５の端部に連結されている。吊り糸４およびタグ５は、透水性バッグ２を液体中で振って、液体中から取り出しやすくするために設けられている。吊り糸４は、長尺状の糸であり、たとえば、ポリプロピレンなどから形成されることが好ましい。タグ５は、たとえば、矩形形状の紙、樹脂などから形成されている。吊り糸４とタグ５とは、たとえば、熱溶着されることにより連結されている。
【００２３】
ジュース粉末３は、自然的または人工的に作られた粉であり、粉末を固めて粒に成形した顆粒を含む。ジュース粉末３は、たとえば、ぶどう糖、酸味料、香料、甘味料、着色料などを含んでいる。ジュース粉末３は、果汁、野菜の搾り汁、紅茶、清涼飲料などのエキスを含有していればよく、たとえば、オレンジ、パイナップル、イチゴ、グレープなどの果物のジュース、ストレートティー、レモンティーなどの紅茶、ソーダ、コーラなどの清涼飲料などの種々の味がある。
【００２４】
図３に示すように、ジュース粉末入りバッグ１をカップ６などに入れた水に浸し、タグ５を持ってジュース粉末入りバッグ１を水の中で振ることで、透水性バッグ２内に収容したジュース粉末３が水の中に浸み出るため、簡易な方法でジュースを作り出すことができる。ジュース粉末３が完全にジュース粉末入りバッグ１から浸み出ない場合であっても、透水性バッグ２内にジュース粉末３のエキスが浸み出た後のだま（炭素Ｃおよび酸素Ｏを含有する成分）が残るだけで、カップ６内には沈殿物が生じない。また、ジュース粉末入りバッグ１の外形がデザイン性に優れたものであるため、ジュースを作っている最中も楽しむことができる。
【００２５】
従来、ジュース粉末を液体に完全に溶解させるには、撹拌操作が面倒であったり、ジュース粉末を液体に投入する手順を考慮する必要があった。これに対し、本実施の形態に係るジュース粉末入りバッグ１は、ジュース粉末３が透水性バッグ２内に収容されており、透水性バッグ２を液体に浸けて振るだけで、液体中にジュース粉末３が浸み出るため、操作が容易である。また、ジュース粉末３が完全に解けない場合であっても、透水性バッグ２内にジュース粉末３が残るだけで、カップ６内には沈殿しない。これにより、飲料者は、沈殿物で不快な思いをせずに飲むことができる。
【００２６】
また、ジュース粉末入りバッグ１の外形は、自然造形物、人工造形物および標章などで形成されるため、ジュース粉末３を液体中に浸み出させている間も視覚的に楽しむことができる。
【００２７】
本実施の形態に係る透水性バッグ２の外形は、ハート形としているが、透水性バッグ２の外形は種々の形状とすることができる。図４は、本考案の実施の形態に係るジュース粉末入りバッグの変形例を示す平面図である。図４には、外形がパイナップルの透水性バッグ２が示されている。
【００２８】
図４を参照して、ジュース粉末入りバッグ１Ａは、透水性バッグ２Ａの形状がパイナップルである。透水性バッグ２Ａの表部２０Ａは、パイナップルの実を模した形状であり、表部２０Ａの上方には、パイナップルの葉の形状を模した装飾部２４が取り付けられている。装飾部２４内には、ジュース粉末３が収容されていなくてもよい。透水性バッグ２Ａの表部２０Ａは、その表面に熱圧着などで模様部２３が付されていてもよい。
【００２９】
透水性バッグ２Ａの外形は、ジュース粉末３の味に対応する果物の形状である。つまり、透水性バッグ２Ａの外形がパイナップルであるため、ジュース粉末３の味をパイナップルとすることが好ましい。これにより、透水性バッグ２Ａの外形と味が一致し、視覚と味覚が一致するため、意匠性をさらに向上させることができる。また、透水性バッグ２Ａにパイナップルの葉のような装飾部２４を設けることで、さらに面白味を出すことができる。
【００３０】
なお、本実施の形態では、透水性バッグ２，２Ａに収容されているものはジュース粉末３であるとして説明したが、スープ粉末であってもよい。ここで、スープ粉末とは、たとえばコンソメスープ、コーンスープなど肉、魚介、野菜などの煮出し汁を元にして作られる汁物のエキスを有する粉末をいう。なお、ジュース粉末３と同様に、スープ粉末には、顆粒が含まれる。
【００３１】
本実施の形態では、透水性バッグ２，２Ａには、吊り糸４およびタグ５が取り付けられていたが、吊り糸４およびタグ５は取り付けられていなくてもよい。その場合、スプーンなどで撹拌し、液体中から取り出せばよい。
【００３２】
本考案は、図示した実施形態のものに限定されない。図示した実施形態に対して、この考案と同一の範囲内において、あるいは均等の範囲内において、種々の修正や変形を加えることが可能である。
【符号の説明】
【００３３】
１，１Ａ  ジュース粉末入りバッグ、２，２Ａ  透水性バッグ、３  ジュース粉末、４  吊り糸、５  タグ、６  カップ、２０，２０Ａ  表部、２１  裏部、２２  外周縁部、２３  模様部、２４  装飾部。
【図１】
0003217267.tif 000003
【図２】
0003217267.tif 000004
【図３】
0003217267.tif 000005
【図４】
0003217267.tif 000006